(57)【特許請求の範囲】
【請求項１】
光源である第一のランプと、
前記第一のランプと同一方向に照射し照射方向が平行になるように配置された光源である第二のランプと、
前記第一のランプ又は前記第二のランプからの光が入射し映像光を生成して前記映像光を出射する照明光学系と、
前記第一のランプ及び前記第二のランプの照射方向に対してほぼ垂直方向の光軸を有し、前記照明光学系から前記映像光が入射して外部に前記映像光を出射する投射光学系と、
前記第一のランプ及び前記第二のランプに対して前記投射光学系の光軸を挟んで反対側に配置され、前記第一のランプ及び前記第二のランプからの光を反射して前記照明光学系に入射させる第一のミラーと、
前記第一のランプの点灯時、前記第一のランプと前記第一のミラーを結ぶ直線上の光路から外れて前記第一のランプからの光を直接前記第一のミラーに入射させ、前記第二のランプの点灯時、前記第一のランプと前記第一のミラーを結ぶ直線上の光路に設置されて前記第二のランプからの光を反射して前記第一のミラーに入射させる可動ミラーと、
前記第二のランプからの光を反射して前記可動ミラーに入射させる第二のミラーと
を備える、プロジェクタ。
【請求項２】
前記可動ミラーは、設置時の水平面に対して鉛直方向の軸を中心に回転する、請求項１に記載のプロジェクタ。
【請求項３】
前記第一のランプと前記第二のランプは、互いに隣接して配置される、請求項１又は２に記載のプロジェクタ。
【請求項４】
前記第一のミラーからの光が入射する前記照明光学系の光の入射点は、前記第一のランプ及び前記第二のランプに対して前記投射光学系の光軸を挟んで反対側に位置する、請求項１〜３のいずれか１項に記載のプロジェクタ。
【請求項５】
前記照明光学系は、前記第一のランプ又は前記第二のランプからの光が入射し、光を色別に分光し、分光した光を表示パネルに透過させて色別に映像光を生成し、前記映像光を合成して、合成した前記映像光を出射する、請求項１〜４のいずれか１項に記載のプロジェクタ。
【発明の詳細な説明】
【技術分野】
【０００１】
本発明は、プロジェクタに関する。
【背景技術】
【０００２】
映像を投写する表示装置であるプロジェクタは、高輝度のランプを光源として、例えば液晶パネルを透過した光をスクリーン等に照射する。プロジェクタには、二つのランプを備える２灯式といわれるものがある。そして、２灯式のプロジェクタには、二つのランプを同時に点灯して輝度を高めるものと、通常は片方のランプのみを点灯して使用し、他方のランプは予備として備えておく切替え式のものがある。
【０００３】
プロジェクタに内蔵されたランプは、点灯時に発熱するため、ランプやプロジェクタ内部が高温になる。そこで、プロジェクタには、給気ファンや排気ファン等の冷却系が設置されて、ランプやプロジェクタ内部が冷却される。
【０００４】
特許文献１には、省電力化を図るために、消費電力の大きな光源と消費電力の小さな光源を有し、光軸切換えミラーによって光軸を切換えられるプロジェクションディスプレイが開示されている。
【先行技術文献】
【特許文献】
【０００５】
【特許文献１】特開２００３−２９３４１号公報
【発明の概要】
【発明が解決しようとする課題】
【０００６】
ところで、従来の２灯切替え式のプロジェクタは、図４に示すように、二つのランプ１２が照明光学系２０や可動ミラー１４を間に挟んで対称的な位置関係で配置されている。図４は、従来のプロジェクタ１０を示す平面図である。図４は、プロジェクタ１０の外装ケースを取り外した状態で、光学系に関する内部の主要な部品と排気ファン５０を概略的に示したものである。
【０００７】
図４に示した従来のプロジェクタ１０は、ランプ１２と、可動ミラー１４と、照明光学系２０と、投射光学系３０と、排気ファン５０等を備える。２灯切替え式のプロジェクタ１０は、二つのランプ１２のうち一方のランプ１２のみから光が照射される。二つのランプ１２は、光の照射方向が互いに向かい合うように配置される。
【０００８】
可動ミラー１４は、一方のランプ１２からの光の入射角が約４５°になるように配置され、一方のランプ１２が点灯した際には、そのランプ１２からの光を照明光学系２０に反射させる。他方のランプ１２が点灯した際には、可動ミラー１４を適正な方向に約９０°回転させることによって、その他方のランプ１２からの光を同一の照明光学系２０に反射させる。可動ミラー１４で反射した光は、照明光学系２０に入射する。
【０００９】
照明光学系２０は、入射した光を一度３原色（ＲＧＢ）に分光し、分光した光を液晶パネル７０Ｒ，７０Ｇ，７０Ｂに透過させた後、合成する。照明光学系２０は、フライアイレンズ６１と、ＰＳ変換素子６２と、コンデンサレンズ６３と、ダイクロイックミラー６４，６６と、ミラー６５，６７，６８と、クロスプリズム６９と、液晶パネル７０Ｒ，７０Ｇ，７０Ｂなどからなる。照明光学系２０で合成された光は、投射光学系３０を介して映像として投射光学系３０からスクリーン等に投射される。
【００１０】
図４に示すランプ１２の反射鏡は、パラボラ形状であるが、プロジェクタ１０の光源として、図５に示す楕円形状の反射鏡を有するランプ２２を使用してもよい。図５は、従来のプロジェクタ１０を示す平面図である。パラボラ形状の反射鏡を有するランプ１２は、平行光を照射するが、楕円形状の反射鏡を有するランプは、光の照射方向にある他の焦点に向かって照射光を集約させる性質がある。そのため、楕円形状の反射鏡を有するランプ２２を使用する場合、レンズ２４，２５等の１つ以上のレンズを使用して光源からの光を平行光にして、照明光学系２０に光を入射させる。ランプ２２とレンズ２５の間の距離、即ち図５ではランプ２２とレンズ２４間の距離Ｍ１と、レンズ２４と可動ミラー２６間の距離Ｍ２と、可動ミラー２６とレンズ２５間の距離Ｍ３の合計距離（＝Ｍ１＋Ｍ２＋Ｍ３）は、ランプ２２の反射鏡及びレンズ２４，２５の性能で決まる。従って、楕円形状の反射鏡を有するランプ２２を使用する場合、ランプ２２の反射鏡及びレンズ２４，２５の性能によって、ランプ２２の位置が決定される。
【００１１】
なお、パラボラ形状の反射鏡を有するランプ１２の場合も、楕円形状の反射鏡を有するランプ２２の場合も、可動ミラー１４，２６、照明光学系２０及び投射光学系３０の構成は同一になる。
【００１２】
このように、従来のプロジェクタ１０では、二つのランプ１２，２２を互いに対向して配置し、二つのランプ１２，２２の中間位置で光路を切り替えるための可動ミラー１４，２６を配置していた。このようなランプ１２，２２の配置、可動ミラー１４，２６及び照明光学系２０の配置は、光学的設計が容易であった。しかし、図４及び図５に示すように、一方のランプ１２，２２の端部Ｐと、投射光学系３０の光の出射点Ｒの間の距離Ｌ４が長くなる。一般に、プロジェクタ１０の外装の形状を決定する際、外装の中心に投射光学系３０の光軸（出射点Ｒを通る軸）を持ってこようとするケースが多い。しかし、そのためには、投射光学系３０の光軸を中心に左右対称に距離Ｌ４を設ける必要がある。従って、外装の横幅が少なくともＬ４×２となり、プロジェクタ１０全体のサイズが大きくなるという問題があった。
【００１３】
また、二つのランプ１２，２２が離れているため、ランプ１２，２２それぞれにランプ１２，２２を冷却するための冷却系を構築する必要があった。特に、排気のための排気ファン５０は、ランプ１２，２２を通過した空気が効率よく外部に排出されるように、ランプ１２，２２の位置に合わせて構築する必要がある。その結果、二つの排気ファン５０がランプ１２，２２に近い外装ケースに設置されることになり、二つの排気ファン５０の設置のために、プロジェクタ１０に広い領域が占有されることになった。
【００１４】
なお、ランプ１２が、点灯時に発熱すると、ランプ１２の上に位置する領域のほうが下に位置する領域に比べて温度が高くなる。プロジェクタ１０を傾けたことによって、ランプ１２の照射面（ガラス面）が反射面（リフレクター）に比べて上に位置すると、熱によってランプ１２が破損するおそれがある。また、反対にランプ１２の反射面（リフレクター）が照射面（ガラス面）に比べて上に位置するときも、熱によってランプ１２が破損するおそれがある。
【００１５】
プロジェクタ１０の設置方法として、図６（Ａ）に示すように、水平な設置面に対して平行に設置して、水平方向に映像光を照射する場合と、図６（Ｂ）、図６（Ｃ）に示すように、水平な設置面に対して斜めに設置して、斜め上方に映像光を照射する場合がある。図６（Ａ）、図６（Ｂ）は、本実施形態に係るプロジェクタ１０を示す側面図である。図６（Ｃ）は、本実施形態に係るプロジェクタ１０を示す側面図である。
【００１６】
従って、プロジェクタ１０を傾けても、ランプ１２の照射方向の傾きが変わらないようにしたほうがよい。そのため、ランプ１２の照射方向は、投射光学系３０の光軸に対してほぼ垂直方向になるように、ランプ１２が配置されている。その結果、図６（Ｂ）、図６（Ｃ）に示すように、プロジェクタ１０を斜めに配置したときも、ランプ１２の照射方向の傾きは変わらない。そのため、ランプ１２の照射面又は反射面が上方に位置することはなく、ランプ１２の破損を回避するようにしている。
【００１７】
このように、プロジェクタ１０内部において、ランプ１２を設置する場合、設置位置が限定されるだけでなく、ランプ１２の照射方向も考慮してランプ１２を配置する必要がある。
【００１８】
そこで、本発明は、上記問題に鑑みてなされたものであり、本発明の目的とするところは、簡素な構造を実現しつつ、装置全体のサイズの小型化を図ることが可能な、新規かつ改良されたプロジェクタを提供することにある。
【課題を解決するための手段】
【００１９】
上記課題を解決するために、本発明のある観点によれば、光源である第一のランプと、第一のランプと同一方向に照射し照射方向が平行になるように配置された光源である第二のランプと、第一のランプ又は第二のランプからの光が入射し映像光を生成して映像光を出射する照明光学系と、第一のランプ及び第二のランプの照射方向に対してほぼ垂直方向の光軸を有し、照明光学系から映像光が入射して外部に映像光を出射する投射光学系と、第一のランプ及び第二のランプに対して投射光学系の光軸を挟んで反対側に配置され、第一のランプ及び第二のランプからの光を反射して照明光学系に入射させる第一のミラーと、第一のランプの点灯時、第一のランプと第一のミラーを結ぶ直線上の光路から外れて第一のランプからの光を直接第一のミラーに入射させ、第二のランプの点灯時、第一のランプと第一のミラーを結ぶ直線上の光路に設置されて第二のランプからの光を反射して第一のミラーに入射させる可動ミラーと、第二のランプからの光を反射して可動ミラーに入射させる第二のミラーとを備える、プロジェクタが提供される。
【００２０】
上記可動ミラーは、設置時の水平面に対して鉛直方向の軸を中心に回転してもよい。
【００２１】
上記第一のランプと第二のランプは、互いに隣接して配置されてもよい。
【００２２】
上記第一のミラーからの光が入射する照明光学系の光の入射点は、第一のランプ及び第二のランプに対して投射光学系の光軸を挟んで反対側に位置してもよい。
【００２３】
上記照明光学系は、第一のランプ又は第二のランプからの光が入射し、光を色別に分光し、分光した光を表示パネルに透過させて色別に映像光を生成し、映像光を合成して、合成した映像光を出射してもよい。
【発明の効果】
【００２４】
以上説明したように本発明によれば、簡素な構造を実現しつつ、装置全体のサイズの小型化を図ることができる。
【図面の簡単な説明】
【００２５】
【図１】本発明の一実施形態に係るプロジェクタ１００を示す斜視図である。
【図２】同実施形態に係るプロジェクタ１００を示す平面図である。
【図３】図３（Ａ）、図３（Ｂ）は、本実施形態に係るプロジェクタ１００を示す側面図である。図３（Ｃ）は、本実施形態に係るプロジェクタ１００を示す側面図である。
【図４】従来のプロジェクタ１０を示す平面図である。
【図５】従来のプロジェクタ１０を示す平面図である。
【図６】図６（Ａ）、図６（Ｂ）は、本実施形態に係るプロジェクタ１０を示す側面図である。図６（Ｃ）は、本実施形態に係るプロジェクタ１０を示す側面図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
なお、説明は以下の順序で行うものとする。
１．プロジェクタ１００の概略構成
２．ランプ１１２Ａ，１１２Ｂからの光の光路切替え手段
３．ランプ１１２Ａ，１１２Ｂの照射方向について
４．プロジェクタ１００の横幅について
【００２８】
＜１．プロジェクタ１００の概略構成＞
まず、図１を参照して、本発明の一実施形態に係るプロジェクタ１００の構成について説明する。図１は、本実施形態に係るプロジェクタ１００を示す斜視図である。図１は、プロジェクタ１００の外装ケースを取り外した状態で、ベース１４０に設置された内部の主要な部品を概略的に示したものである。図２は、本実施形態に係るプロジェクタ１００を示す平面図である。
【００２９】
本実施形態に係るプロジェクタ１００は、ランプ１１２Ａ，１１２Ｂと、可動ミラー１１４と、照明光学系１２０と、投射光学系１３０と、排気ファン１５０等を備える。プロジェクタ１００は、映像を投写する表示装置であって、高輝度のランプ１１２Ａ，１１２Ｂを光源として、例えば液晶パネル１７０Ｒ，１７０Ｇ，１７０Ｂを透過した光をスクリーン等に投射する。プロジェクタ１００は、２灯切替え式であり、通常は片方のランプ１１２Ａ（又は１１２Ｂ）のみを点灯して使用し、他方のランプ１１２Ｂ（又は１１２Ａ）は予備として備えておく。
【００３０】
ランプ１１２Ａ，１１２Ｂは、ランプボックス１１０に内蔵される。ランプ１１２Ａ，１１２Ｂは、例えばキセノンランプ、超高圧水銀ランプなどである。ランプ１１２Ａ，１１２Ｂは、例えばパラボラ形状の反射鏡を有し、平行光を照射する。なお、本発明では、楕円形状の反射鏡を有するランプを使用してもよい。この場合、ランプと照明光学系１２０の間には、ランプから照射された光を平行光にするレンズを設ける必要がある。
【００３１】
ランプ１１２Ａ，１１２Ｂから照射された光は、照明光学系１２０に出力される。プロジェクタ１００が２灯切替え式であるため、プロジェクタ１００の使用時は、ユーザーの選択、プロジェクタ１００内部の設定などに応じて、ランプ１１２Ａ，１１２Ｂのいずれか一方が点灯される。
【００３２】
ランプ１１２Ａ，１１２Ｂは、従来のプロジェクタ１０と異なり、プロジェクタ１００の内部において、同一方向に光を照射し照射方向が平行になるように配置されている。また、ランプ１１２Ａ，１１２Ｂは、従来のプロジェクタ１０と異なり、互いに隣接して配置されている。ランプ１１２Ａ，１１２Ｂは、第一のランプ、第二のランプの一例である。
【００３３】
プロジェクタ１００が２灯切替え式であるため、ランプ１１２Ａからの光の光路と、ランプ１１２Ｂからの光の光路を切り替える可動ミラー１１４が設けられる。ランプ１１２Ａ，１１２Ｂの配置が従来のプロジェクタ１０と異なるため、ランプ１１２Ａ，１１２Ｂからの光の光路を切り替える可動ミラー１１４の配置は、従来のプロジェクタ１０と異なる。可動ミラー１１４等の光路切替え手段の詳しい説明は、後述する。
【００３４】
照明光学系１２０は、ランプ１１２Ａ，１１２Ｂから出力された光を一旦３原色（ＲＧＢ）に分光する。そして、照明光学系１２０は、分光した光を液晶パネル１７０Ｒ，１７０Ｇ，１７０Ｂに透過させて、各色の映像光を生成した後、一つの映像光に合成する。照明光学系１２０は、合成して生成された映像光を投射光学系１３０に出力する。
【００３５】
照明光学系１２０は、フライアイレンズ１６１と、ＰＳ変換素子１６２と、コンデンサレンズ１６３と、ダイクロイックミラー１６４，１６６と、ミラー１６５，１６７，１６８と、クロスプリズム１６９と、液晶パネル１７０Ｒ，１７０Ｇ，１７０Ｂなどからなる。
【００３６】
フライアイレンズ１６１は、周辺の輝度に比べて中心の輝度が高い入射してきた光を均一な光に変換する。ＰＳ変換素子１６２は、光の偏光成分を揃えて、液晶パネル１７０Ｒ，１７０Ｇ，１７０Ｂに偏光成分が揃った光を入射させる。コンデンサレンズ１６３は、ランプ１１２Ａ，１１２Ｂからの光を集光させる。ダイクロイックミラー１６４は、入射した光から青色光を透過させ、赤色光、緑色光を反射させる。ダイクロイックミラー１６６は、入射した光から赤色光を透過させ、緑色光を反射させる。ミラー１６５，１６７，１６８は、入射した光を例えば９０°方向に角度を変えて反射させる。液晶パネル１７０Ｒ，１７０Ｇ，１７０Ｂは、それぞれ入射した各色（ＲＧＢ）の映像光を生成する。クロスプリズム１６９は、入射した各色の映像光を合成して、合成された映像光を生成し、投射光学系１３０に映像光を出射する。
【００３７】
投射光学系１３０は、例えば投射レンズ等から構成され、照明光学系１２０から出力された映像光をスクリーン等に投射する。投射光学系１３０は、ランプ１１２Ａ，１１２Ｂの照射方向に対してほぼ垂直方向の光軸を有する。
【００３８】
プロジェクタ１００の冷却系として、例えば給気ファン（図示せず。）と、排気ファン１５０等が設けられる。
給気ファンは例えば遠心ファンである。給気ファンは、ランプ１１２Ａ，１１２Ｂと接続されて、ランプ１１２Ａ，１１２Ｂそれぞれに空気を供給し、点灯時に発熱するランプ１１２Ａ，１１２Ｂを冷却する。
【００３９】
排気ファン１５０は例えば軸流ファンである。排気ファン１５０は、ランプ１１２Ａ，１１２Ｂを通過した空気を吸い込み、吸い込んだ空気をプロジェクタ１００の外部に排出する。排気ファン１５０は、例えばプロジェクタ１００の外装ケースに取り付けられる。
【００４０】
排気ファン１５０は、ランプ１１２Ａ，１１２Ｂに隣接して一つのみ配置される。従来のプロジェクタ１０では、二つのランプ１２が離れた位置に配置されていたため、二つの排気ファン５０を設置していた。一方、本実施形態では、ランプ１１２Ａ，１１２Ｂが隣接しているため、排気ファン１５０を共通化でき、排気ファン１５０を一つ設置するだけで、ランプ１１２Ａ，１１２Ｂを冷却できる。図２に示す例では、排気ファン１５０は、一方のランプ１１２Ａに隣接して配置されているが、本発明はこの例に限定されない。例えば、排気ファンは、隣接して配置された二つのランプの中間に配置されてもよい。
【００４１】
＜２．ランプ１１２Ａ，１１２Ｂからの光の光路切替え手段＞
次に、ランプ１１２Ａ，１１２Ｂからの光の光路切替え手段について説明する。
【００４２】
光路切替え手段は、ランプ１１２Ａが点灯したときは、ランプ１１２Ａからの光が照明光学系１２０に到達し、ランプ１１２Ｂからの光が点灯したときは、ランプ１１２Ｂからの光が照明光学系１２０に到達するように、光路を切り替える。
【００４３】
光路切替え手段は、例えば可動ミラー１１４と、ミラー１１６，１１８等からなる。
ミラー１１８とランプ１１２Ａを結ぶ光路は、投射光学系１３０の光軸に対して垂直であり、照明光学系１２０の光の入射点Ｑの近傍を通過する。また、ミラー１１６とランプ１１２Ｂを結ぶ光路は、ミラー１１８とランプ１１２Ａを結ぶ光路と平行であり、照明光学系１２０の光の入射点Ｑよりも投射光学系１３０の光の出射点Ｒ側に位置する。ランプ１１２Ｂの点灯時に、ミラー１１６と可動ミラー１１４を結ぶ光路は、投射光学系１３０の光軸に対して平行であり、投射光学系１３０の光軸の延長線上に近い位置に配置される。
【００４４】
ミラー１１８は、第一のミラーの一例であり、ランプ１１２Ａ，１１２Ｂからの光を反射して照明光学系１２０に入射させる。ミラー１１８は、ランプ１１２Ａ，１１２Ｂからの光の入射角が約４５°になるように配置される。
【００４５】
ミラー１１８は、図２に示すように、ミラー１１８からの光が入射する照明光学系１２０の光の入射点Ｑの近くに設置される。入射点Ｑは、投射光学系１３０の光軸からの幅方向の距離がＬ２の位置にある。そして、入射点Ｑは、ランプ１１２Ａ，１１２Ｂに対して投射光学系１３０の光軸を挟んで反対側に位置する。従って、ミラー１１８も、ランプ１１２Ａ，１１２Ｂに対して、投射光学系１３０の光軸を挟んで反対側に設置される。
【００４６】
可動ミラー１１４は、ランプ１１２Ａとミラー１１８を結ぶ直線上の光路から外れたり、ランプ１１２Ａとミラー１１８を結ぶ直線上の光路に設置されたりするように可動する。
【００４７】
ランプ１１２Ａの点灯時、可動ミラー１１４は、ランプ１１２Ａとミラー１１８を結ぶ直線上の光路から外れてランプ１１２Ａからの光を直接ミラー１１８に入射させる。一方、ランプ１１２Ｂの点灯時、可動ミラー１１４は、約４５°回転して、ランプ１１２Ａとミラー１１８を結ぶ直線上の光路に設置されて、ランプ１１２Ｂからの光を反射してミラー１１８に入射させる。ランプ１１２Ｂの点灯時、可動ミラー１１４は、ランプ１１２Ｂからの光の入射角が約４５°になるように配置される。
【００４８】
可動ミラー１１４は、設置時の水平面に対して鉛直方向の軸を中心に回転する。これにより、プロジェクタ１００を卓上に設置する場合だけでなく、上面と下面を逆さにして例えば天井から吊り下げて設置する場合にも、可動ミラー１１４を適切に回転させることができる。即ち、本実施形態と異なり、可動ミラーを水平面に対して平行方向の軸を中心に回転するようにすると、上面と下面を逆さにして設置する場合に、動作しなくなる恐れがあるが、本実施形態では、このような不具合を回避できる。
【００４９】
ミラー１１６は、第二のミラーの一例であり、ランプ１１２Ｂからの光を反射して可動ミラー１１４に入射させる。ミラー１１６は、ランプ１１２Ｂからの光の入射角が約４５°になるように配置される。ミラー１１６は、照明光学系１２０の光の入射点Ｑよりも投射光学系１３０の光の出射点Ｒ側に設置される。また、ミラー１１６は、投射光学系１３０の光軸の延長線上に近い位置に設置される。これにより、ミラー１１６に入射する光を照射するランプ１１２Ｂも、照明光学系１２０の光の入射点Ｑよりも投射光学系１３０側に設置でき、プロジェクタ１００を小型化させることができる。
【００５０】
本実施形態の光路切替え手段は、下記の通り動作する。
まず、ランプ１１２Ａが点灯する場合、可動ミラー１１４は、ランプ１１２Ａとミラー１１８を結ぶ直線上の光路から外れた位置に移動する。ランプ１１２Ａが点灯すると、ランプ１１２Ａから照射された光は、直接ミラー１１８に入射し、ミラー１１８は、ランプ１１２Ａからの光を反射して照明光学系１２０に入射させる。これにより、ランプ１１２Ａからの光が照明光学系１２０に入射する。
【００５１】
一方、ランプ１１２Ｂが点灯する場合、可動ミラー１１４は、ランプ１１２Ａとミラー１１８を結ぶ直線上の光路に移動する。ランプ１１２Ｂが点灯すると、ランプ１１２Ｂから照射された光は、ミラー１１６に入射し、ミラー１１６は、ランプ１１２Ｂからの光を反射して可動ミラー１１４に入射させる。そして、可動ミラー１１４は、ミラー１１６からの光を反射してミラー１１８に入射させる。最後に、ミラー１１８は、可動ミラー１１４からの光を反射して照明光学系１２０に入射させる。これにより、ランプ１１２Ｂからの光が照明光学系１２０に入射する。
【００５２】
＜３．ランプ１１２Ａ，１１２Ｂの照射方向について＞
投射光学系１３０は、ランプ１１２Ａ，１１２Ｂの照射方向に対してほぼ垂直方向の光軸を有する。プロジェクタ１００の設置方法として、図３（Ａ）に示すように、水平な設置面に対して平行に設置して、水平方向に映像光を照射する場合と、図３（Ｂ）、図３（Ｃ）に示すように、水平な設置面に対して斜めに設置して、斜め上方に映像光を照射する場合がある。図３（Ａ）、図３（Ｂ）は、本実施形態に係るプロジェクタ１００を示す側面図である。図３（Ｃ）は、本実施形態に係るプロジェクタ１００を示す側面図である。
【００５３】
ランプ１１２Ａ，１１２Ｂ（以下、総称してランプ１１２ともいう。）は、点灯時に発熱する。ランプ１１２が発熱すると、ランプ１１２の上に位置する領域のほうが下に位置する領域に比べて温度が高くなる。プロジェクタ１００を傾けたことによって、ランプ１１２の照射面（ガラス面）が反射面（リフレクター）に比べて上に位置すると、熱によってランプ１１２が破損するおそれがある。また、反対にランプ１１２の反射面（リフレクター）が照射面（ガラス面）に比べて上に位置するときも、熱によってランプ１１２が破損するおそれがある。
【００５４】
従って、プロジェクタ１００を傾けても、ランプ１１２の照射方向の傾きが変わらないようにしたほうがよい。そのため、ランプ１１２の照射方向は、投射光学系１３０の光軸に対してほぼ垂直方向になるように、ランプ１１２を配置するとよい。その結果、図３（Ｂ）、図３（Ｃ）に示すように、プロジェクタ１００を斜めに配置したときも、ランプ１１２の照射方向の傾きは変わらない。そのため、ランプ１１２の照射面又は反射面が上方に位置することはなく、ランプ１１２の破損を回避できる。
【００５５】
本実施形態では、プロジェクタ１００の小型化を図りつつ、図３に示すように、二つのランプ１１２の照射方向を考慮してランプ１１２を配置している。なお、ランプ１１２Ａ，１１２Ｂの照射方向は、投射光学系１３０の光軸に対して厳密に９０°にする必要はなく、ランプの温度分布を適正にすることができる範囲で傾けることができる。
【００５６】
＜４．プロジェクタ１００の横幅について＞
ランプ１１２Ａ，１１２Ｂは、照明光学系１２０の光の入射点Ｑやミラー１１８に対して、投射光学系１３０の光軸を挟んで反対側に設置される。これにより、投射光学系１３０の光軸から最も離れた光学系の部品の位置は、ランプ１１２Ａ，１１２Ｂの端部、図２に示すＰになる。端部Ｐは、投射光学系１３０の光軸からの幅方向の距離がＬ１の位置にある。
【００５７】
Ｌ１は、ランプ１１２Ａ，１１２Ｂが可動ミラー１１４に当たらない位置まで短縮できる。即ち、図２に示す可動ミラー１１４とランプ１１２Ａ，１１２Ｂの間の距離Ｌ３が０（ゼロ）に近くなる位置まで、ランプ１１２Ａ，１１２Ｂを移動でき、Ｌ１を短縮できる。
【００５８】
従来のプロジェクタ１０は、二つのランプ１２，２２が可動ミラー１４，２６を間に挟んで対向する位置にある。そして、図４及び図５に示すように、投射光学系１３０の光軸から最も離れた光学系の部品の位置は、照明光学系１２０の光の入射点Ｑよりも外側に配置されたランプ１２の端部Ｐであった。端部Ｐは、投射光学系１３０の光軸からの幅方向の距離がＬ４の位置にある。
【００５９】
照明光学系２０の光の入射点Ｑと投射光学系３０の光の出射点Ｒの間隔Ｌ２は、照明光学系２０及び投射光学系３０の構造に依存する。照明光学系２０が上述したような構成を有する場合、間隔Ｌ２は一定以下に短縮することはできない。従って、投射光学系１３０の光軸から端部Ｐまでの幅方向の距離Ｌ４を短縮することは困難だった。
【００６０】
一方、本実施形態は、従来と同一距離の照明光学系１２０の光の入射点Ｑと投射光学系１３０の光の出射点Ｒの間隔Ｌ２を有する。しかし、ランプ１１２Ａ，１１２Ｂは、照明光学系１２０の光の入射点Ｑやミラー１１８に対して、投射光学系１３０の光軸を挟んで反対側に設置される。従って、投射光学系１３０の光軸から最も離れた光学系の部品の位置（端部Ｐ）までの距離Ｌ１を、従来のプロジェクタの投射光学系３０の光軸から端部Ｐまでの幅方向の距離Ｌ４より短縮でき、装置全体のサイズの小型化を図ることができる。
【００６１】
以上より、本実施形態によれば、プロジェクタ１００の外装の形状を決定する際、外装の中心に投射光学系１３０の光軸（出射点Ｒを通る軸）を持ってこようとするケースでは特に、外装の横幅を従来に比べて狭くすることができる。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、上記実施形態では、ランプ１１２Ａ，１１２Ｂがプロジェクタ１００に二つ設置される場合について説明したが、本発明はこの例に限定されず、ランプがプロジェクタに三つ以上設置される場合についても、可動ミラーを増やすことによって同様に適用できる。
【符号の説明】
【００６４】
１０，１００    プロジェクタ
１２，２２，１１２，１１２Ａ，１１２Ｂ    ランプ
１４，２６，１１４    可動ミラー
２０，１２０    照明光学系
２４，２５    レンズ
３０，１３０    投射光学系
５０，１５０    排気ファン
６１，１６１    フライアイレンズ
６２，１６２    ＰＳ変換素子
６３，１６３    コンデンサレンズ
６４，６６，１６４，１６６    ダイクロイックミラー
６５，６７，６８，１１６，１１８，１６５，１６７，１６８    ミラー
６９，１６９    クロスプリズム
７０Ｒ，７０Ｇ，７０Ｂ，１７０Ｒ，１７０Ｇ，１７０Ｂ    液晶パネル
１１０    ランプボックス
１４０    ベース
【図１】
0005397239.tif 000002
【図２】
0005397239.tif 000003
【図３】
0005397239.tif 000004
【図４】
0005397239.tif 000005
【図５】
0005397239.tif 000006
【図６】
0005397239.tif 000007